【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
ドットを記録するための記録ヘッドを記録媒体に対して走査させながら、前記記録媒体上に前記記録ヘッドによりドットを記録するインクジェット記録方法であって、
画素の濃度値に応じて、前記画素を構成する複数のエリアそれぞれの記録ドットの有無を決定するためのドット配置パターンを選択する工程と、
前記選択されたドット配置パターンに基づく記録ドットデータを、マスクパターンを用いて前記記録ヘッドの複数回の走査に振り分け、当該複数回の走査それぞれに対応した記録ドットデータを作成する工程と、
前記作成された記録ドットデータに従って、前記記録ヘッドによりドットを記録する工程とを有し、
前記マスクパターンは、前記濃度値が所定値よりも低い場合にドットが記録されるエリアから構成される第１の領域に対応した第１のマスクパターンと、前記濃度値が前記所定値以上の場合にのみドットが記録されるエリアから構成される第２の領域に対応した、前記第１のマスクパターンとは異なる特徴を有する第２のマスクパターンとの和によって構成されることを特徴とするインクジェット記録方法。
【請求項２】
前記第１の領域に含まれるエリアには、前記複数回の走査によって１以下のドットが記録され、前記第２の領域に含まれるエリアには、前記濃度値が前記所定値以上の場合にのみ前記複数回の走査によって２以上のドットが記録されることを特徴とする請求項１に記載のインクジェット記録方法。
【請求項３】
前記記録媒体の先端部あるいは後端部に対する記録のために使用されるマスクパターンは、前記先端部あるいは後端部以外の領域に対する記録のために使用されるマスクパターンとは異なるものであり、
先端部あるいは後端部に対する記録のために使用される前記マスクパターンは、前記第１のマスクパターンと前記第２のマスクパターンとの和によって構成されていることを特徴とする請求項１または２に記載のインクジェット記録方法。
【請求項４】
前記記録媒体の先端部あるいは後端部に対する記録のために使用される前記記録素子の数は、前記先端部あるいは後端部以外の領域に対する記録のために使用される前記記録素子の数よりも少ないことを特徴とする請求項３に記載のインクジェット記録方法。
【請求項５】
前記第１のマスクパターンは、前記第２のマスクパターンよりも、記録を許容するエリアの分散性が高いことを特徴とする請求項３に記載のインクジェット記録方法。
【請求項６】
前記記録ヘッドは、第１の色のインクと第２の色のインクを含む複数色のインクを吐出することが可能であり、前記第１の色のインクを記録するために使用されるマスクパターンは、前記第２の色のインクを記録するために使用されるマスクパターンとは異なることを特徴とする請求項１乃至５のいずれかに記載のインクジェット記録方法。
【請求項７】
ドットを記録するための記録ヘッドを記録媒体に対して走査させながら前記記録媒体上に前記記録ヘッドによりドットを記録するインクジェット記録装置と、前記インクジェット記録装置に画像データを供給するホスト装置と、を含むインクジェット記録システムであって、
前記画像データの画素の濃度値に応じて、前記画素を構成する複数のエリアそれぞれの記録ドットの有無を決定するためのドット配置パターンを選択する手段と、
前記選択されたドット配置パターンに基づく記録ドットデータを、マスクパターンを用いて前記記録ヘッドの複数回の走査に振り分け、当該複数回の走査それぞれに対応した記録ドットデータを作成する手段と、
前記作成された記録ドットデータに従って、前記記録ヘッドにドットを記録させる手段とを備え、
前記マスクパターンは、前記濃度値が所定値よりも低い場合にドットが記録されるエリアから構成される第１の領域に対応した第１のマスクパターンと、前記濃度値が前記所定値以上の場合にのみドットが記録されるエリアから構成される第２の領域に対応した、前記第１のマスクパターンとは異なる特徴を有する第２のマスクパターンとの和によって構成されることを特徴とするインクジェット記録システム。
【請求項８】
ドットを記録するための記録ヘッドを記録媒体に対して走査させながら、前記記録媒体上に前記記録ヘッドによりドットを記録するインクジェット記録装置であって、
画素の濃度値に応じて、前記画素を構成する複数のエリアそれぞれの記録ドットの有無を決定するためのドット配置パターンを選択する手段と、
前記ドット配置パターンに基づく記録ドットデータを前記記録ヘッドの複数回の走査に振り分けるためのマスクパターンを格納したメモリと、
前記選択手段により選択されたドット配置パターンに基づく記録ドットデータを、前記マスクパターンを用いて前記記録ヘッドの複数回の走査に振り分け、当該複数回の走査それぞれに対応した記録ドットデータを作成する手段とを有し、
前記マスクパターンは、前記濃度値が所定値よりも低い場合にドットが記録されるエリアから構成される第１の領域に対応した第１のマスクパターンと、前記濃度値が前記所定値以上の場合にのみドットが記録されるエリアから構成される第２の領域に対応した、前記第１のマスクパターンとは異なる特徴を有する第２のマスクパターンとの和によって構成されることを特徴とするインクジェット記録装置。
【手続補正２】
【補正対象書類名】明細書
【補正対象項目名】発明の名称
【補正方法】変更
【補正の内容】
【発明の名称】インクジェット記録方法およびインクジェット記録システムおよびインクジェット記録装置
【手続補正３】
【補正対象書類名】明細書
【補正対象項目名】０００１
【補正方法】変更
【補正の内容】
【０００１】
本発明は、記録媒体に記録剤を記録することによって所定の濃度情報を表現することが可能なインクジェット記録方法、インクジェット記録システム、およびインクジェット記録装置に関する。
【手続補正４】
【補正対象書類名】明細書
【補正対象項目名】０００９
【補正方法】変更
【補正の内容】
【０００９】
本発明は上述の問題点を解消するためになされたものであり、その目的とするところは、小ドロップを実現する所定の吐出量に固定されたインクジェット記録ヘッドを用いながら、上記吐出量から得られる好適な記録密度よりも低い記録密度でデータ処理および記録を行いつつ、更に、記録デューティーに伴いその重要度が変異するいくつかの画像問題にも臨機応変に対応することが可能なインクジェット記録方法、インクジェット記録システム、およびインクジェット記録装置を提供することである。
【手続補正５】
【補正対象書類名】明細書
【補正対象項目名】００１０
【補正方法】変更
【補正の内容】
【００１０】
そのために本発明では、ドットを記録するための記録ヘッドを記録媒体に対して走査させながら、前記記録媒体上に前記記録ヘッドによりドットを記録するインクジェット記録方法であって、画素の濃度値に応じて、前記画素を構成する複数のエリアそれぞれの記録ドットの有無を決定するためのドット配置パターンを選択する工程と、前記選択されたドット配置パターンに基づく記録ドットデータを、マスクパターンを用いて前記記録ヘッドの複数回の走査に振り分け、当該複数回の走査それぞれに対応した記録ドットデータを作成する工程と、前記作成された記録ドットデータに従って、前記記録ヘッドによりドットを記録する工程とを有し、前記マスクパターンは、前記濃度値が所定値よりも低い場合にドットが記録されるエリアから構成される第１の領域に対応した第１のマスクパターンと、前記濃度値が前記所定値以上の場合にのみドットが記録されるエリアから構成される第２の領域に対応した、前記第１のマスクパターンとは異なる特徴を有する第２のマスクパターンとの和によって構成されることを特徴とする。
【手続補正６】
【補正対象書類名】明細書
【補正対象項目名】００１１
【補正方法】変更
【補正の内容】
【００１１】
また、ドットを記録するための記録ヘッドを記録媒体に対して走査させながら前記記録媒体上に前記記録ヘッドによりドットを記録するインクジェット記録装置と、前記インクジェット記録装置に画像データを供給するホスト装置と、を含むインクジェット記録システムであって、前記画像データの画素の濃度値に応じて、前記画素を構成する複数のエリアそれぞれの記録ドットの有無を決定するためのドット配置パターンを選択する手段と、前記選択されたドット配置パターンに基づく記録ドットデータを、マスクパターンを用いて前記記録ヘッドの複数回の走査に振り分け、当該複数回の走査それぞれに対応した記録ドットデータを作成する手段と、前記作成された記録ドットデータに従って、前記記録ヘッドにドットを記録させる手段とを備え、前記マスクパターンは、前記濃度値が所定値よりも低い場合にドットが記録されるエリアから構成される第１の領域に対応した第１のマスクパターンと、前記濃度値が前記所定値以上の場合にのみドットが記録されるエリアから構成される第２の領域に対応した、前記第１のマスクパターンとは異なる特徴を有する第２のマスクパターンとの和によって構成されることを特徴とする。
更に、ドットを記録するための記録ヘッドを記録媒体に対して走査させながら、前記記録媒体上に前記記録ヘッドによりドットを記録するインクジェット記録装置であって、画素の濃度値に応じて、前記画素を構成する複数のエリアそれぞれの記録ドットの有無を決定するためのドット配置パターンを選択する手段と、前記ドット配置パターンに基づく記録ドットデータを前記記録ヘッドの複数回の走査に振り分けるためのマスクパターンを格納したメモリと、前記選択手段により選択されたドット配置パターンに基づく記録ドットデータを、前記マスクパターンを用いて前記記録ヘッドの複数回の走査に振り分け、当該複数回の走査それぞれに対応した記録ドットデータを作成する手段とを有し、前記マスクパターンは、前記濃度値が所定値よりも低い場合にドットが記録されるエリアから構成される第１の領域に対応した第１のマスクパターンと、前記濃度値が前記所定値以上の場合にのみドットが記録されるエリアから構成される第２の領域に対応した、前記第１のマスクパターンとは異なる特徴を有する第２のマスクパターンとの和によって構成されることを特徴とする。